(57)【特許請求の範囲】
【請求項１】
筐体内に熱交換器と送風ファンを備え、筐体表面に吸込口と吹出口を設け、前記吸込口と熱交換器と送風ファンと吹出口を連通して送風経路を形成し、前記送風ファンの運転で吸込口から吸込んだ室内の空気を熱交換器にて冷却又は加熱した後、吹出口から室内に吹き出すことで室温調節を行うと共に、前記送風経路又は吹出口近傍にイオン発生装置を設け、吹出口より吹出される空気にて室内に負イオンを拡散する空気調和機に於いて、前記空気調和機の運転操作を行う操作部と負イオンの発生量を表示する表示部を備え、前記操作部には少なくともイオン発生装置の運転停止を行うイオン運転スイッチと負イオンの発生量を増減するイオン増減スイッチを設け、前記表示部には複数のイオンランプを備え、通常運転時にはイオンセンサの値に応じて順次イオンランプが点灯し、前記イオン増減スイッチの操作によるイオン増加運転の場合には、中央から端部に向けてイオンランプを順次点滅させイオンの増加を動的に表現する制御装置を設けた事を特徴とする空気調和機。
【請求項２】
筐体内に空気清浄フィルタと送風ファンを備え、筐体表面に吸込口と吹出口を設け、前記吸込口と空気清浄フィルタと送風ファンと吹出口を連通して送風経路を形成し、前記送風ファンの運転で吸込口から吸込んだ室内の空気を空気清浄フィルタにて浄化した後、吹出口から室内に吹き出すことで空気清浄を行うと共に、前記送風経路又は吹出口近傍にイオン発生装置を設け、吹出口より吹出される空気にて室内に負イオンを拡散する空気清浄機に於いて、前記空気清浄機の運転操作を行う操作部と負イオンの発生量を表示する表示部を備え、前記操作部には少なくともイオン発生装置の運転停止を行うイオン運転スイッチと負イオンの発生量を増減するイオン増減スイッチを設け、前記表示部には複数のイオンランプを備え、通常運転時にはイオンセンサの値に応じて順次イオンランプが点灯し、前記イオン増減スイッチの操作によるイオン増加運転の場合には、中央から端部に向けてイオンランプを順次点滅させイオンの増加を動的に表現する制御装置を設けた事を特徴とする空気清浄機。
【請求項３】
前記イオン増減スイッチにて負イオンの増加操作を行った場合には、前記イオン発生装置はイオンの発生量を増加すると共に前記表示装置にてイオン発生量の増加を表示し、所定時間経過後には増加前のイオン発生量に自動的に戻るイオン発生量調整手段を設けた事を特徴とする請求項１又は請求項２記載の空気調和機又は空気清浄機。
【発明の詳細な説明】
【０００１】
【発明が属する技術分野】
この発明は負イオンを発生するイオン発生装置を空気調和機又は空気清浄機に組み込んだ事に関する。
【０００２】
【従来の技術】
従来より負イオンが人体に対して良い効果をもたらすことは知られており、生理作用の改善や医学療法等に利用されるものである。
また従来例として特公平７−２３７７７号の空気調和機がある。この空気調和機は送風経路に負イオンと正イオンの両方イオンを発生するイオン発生装置を、吸込口にイオンセンサを備え、イオンセンサで測定されたイオン量と予め設定されたイオン量の差に応じて送風ファンの送風量を変化させる事でイオンの発生量を調節していた。
【０００３】
【発明が解決しようとする課題】
しかし、このような従来の空気調和機はイオンの発生量を送風ファンの送風量によって予め設定されたイオン量に調節するために使用者は好みに応じて、自らイオンの発生量を増減する事ができないものだった。
【０００４】
【問題点を解決するための手段】
この発明はこの点に着目し上記欠点を解決する為、特にその構成を、筐体内に熱交換器と送風ファンを備え、筐体表面に吸込口と吹出口を設け、前記吸込口と熱交換器と送風ファンと吹出口を連通して送風経路を形成し、前記送風ファンの運転で吸込口から吸込んだ室内の空気を熱交換器にて冷却又は加熱した後、吹出口から室内に吹き出すことで室温調節を行うと共に、前記送風経路又は吹出口近傍にイオン発生装置を設け、吹出口より吹出される空気にて室内に負イオンを拡散する空気調和機に於いて、前記空気調和機の運転操作を行う操作部と負イオンの発生量を表示する表示部を備え、前記操作部には少なくともイオン発生装置の運転停止を行うイオン運転スイッチと負イオンの発生量を増減するイオン増減スイッチを設け、前記表示部には複数のイオンランプを備え、通常運転時にはイオンセンサの値に応じて順次イオンランプが点灯し、前記イオン増減スイッチの操作によるイオン増加運転の場合には、中央から端部に向けてイオンランプを順次点滅させイオンの増加を動的に表現する制御装置を設けた空気調和機であり。
【０００５】
また筐体内に空気清浄フィルタと送風ファンを備え、筐体表面に吸込口と吹出口を設け、前記吸込口と空気清浄フィルタと送風ファンと吹出口を連通して送風経路を形成し、前記送風ファンの運転で吸込口から吸込んだ室内の空気を空気清浄フィルタにて浄化した後、吹出口から室内に吹き出すことで空気清浄を行うと共に、前記送風経路又は吹出口近傍にイオン発生装置を設け、吹出口より吹出される空気にて室内に負イオンを拡散する空気清浄機に於いて、前記空気清浄機の運転操作を行う操作部と負イオンの発生量を表示する表示部を備え、前記操作部には少なくともイオン発生装置の運転停止を行うイオン運転スイッチと負イオンの発生量を増減するイオン増減スイッチを設け、前記表示部には複数のイオンランプを備え、通常運転時にはイオンセンサの値に応じて順次イオンランプが点灯し、前記イオン増減スイッチの操作によるイオン増加運転の場合には、中央から端部に向けてイオンランプを順次点滅させイオンの増加を動的に表現する制御装置を設けた空気清浄機であり。
【０００６】
前記イオン増減スイッチにて負イオンの増加操作を行った場合には、前記イオン発生装置はイオンの発生量を増加すると共に前記表示装置にてイオン発生量の増加を表示し、所定時間経過後には増加前のイオン発生量に自動的に戻るイオン発生量調整手段を設けた空気調和機又は空気清浄機。
【０００７】
【発明の実施の形態】
図６のＳ２にて空気調和機運転中でイオン発生装置２０運転中であればＳ３に進み、イオンランプ３８を負イオンの発生量に応じて左側から順次点灯する通常表示を行う。Ｓ２にてイオン発生装置２０が停止していれば、そのままＳ１に戻り運転を続ける。
次にＳ４にてイオン運転スイッチ３１が押圧された場合は、Ｓ１０にて負イオンの発生を停止してイオンランプ３８を消灯しＳ１に戻る。またイオン運転スイッチ３１の押圧がない場合にはＳ５に進む。
【０００８】
Ｓ５ではイオン増減スイッチ３２の押圧を判断し、押圧された場合にはＳ６にて入力電力制御回路４４によてイオン発生回路４２に送る電力を、通常時８０％であったものを１００％に増加することで放射電極１４から発生する負イオンを増量すると共に、イオンランプ３８の増量表示行い、タイマ４９をスタートする。
またイオン増減スイッチ３２の押圧がない場合にはＳ３に戻り通常のイオン発生運転を続ける。
【０００９】
Ｓ７ではイオン増減スイッチ３２の再度の押圧を判断し、押圧の場合はＳ９にてイオン発生回路４２の電力を８０％にすると共にイオンランプ３８を通常表示に切換えＳ３に戻る。イオン増減スイッチ３２の押圧がない状態で２０分間経過すれば自動的にＳ８からＳ９に進みＳ３に戻って通常運転を継続するものである。
【００１０】
従って、使用者は負イオンの発生量をその時の気分や体調、好みに応じて増加する事ができるようにしたことで、使用者自身で気分の回復や体調管理等を普通の生活をしながら容易に調節することができ、極めて使用勝手が良いものである。
又イオンランプ３８を使用した動的な表示により負イオンの増量状態を使用者にわかりやすく知らしめる事ができるものである。
【００１１】
又負イオン発生量増加後には必要に応じて負イオンの発生量を増加前の通常の発生量に減じる事が簡単にできる様になると共に、負イオン増量開始から所定時間後には自動的に通常の発生量に戻るので、長時間負イオンが過剰に発生する事で人体に害を及ぼしたり、器具周囲の壁等にホコリが多量に付着する事を防止するものである。
【００１２】
【実施例】
以下この発明の実施の形態を図面をもとに説明すれば、１はセパレート式空気調和機の室内ユニットで、本体ケーシング２と前方の前面カバー３によって筐体を形成し、前記前面カバー３の正面中央と上部に横長スリット状の吸込口４を有するオープンパネル５を備え、このパネル５は前面カバー３の上部左右に設けた軸（図示せず）を支点として前方へ開閉自在に取付られ、且つ前記軸に着脱自在に設けられている。
【００１３】
前記吸込口４下方から前面カバー３底面には横長の吹出口６を設け、また前面カバー３上面には前記吸込口４で不足する開口面積を補うために上部吸込口７を設けている。
前記吸込口４・７の内側には樹脂材料から成る網目状のプレフィルタ８が取り付けられ吸込口４・７から吸い込まれた空気中のホコリを取り除くものである。
【００１４】
前記プレフィルタ８の内側には横長で多段に屈曲され、最上部から後部に向かって断面山型に配置されると共に前面に沿って前記吹出口６上方まで位置するフィンチューブ式の熱交換器９を設け、この熱交換器９の後部内側にはクロスフロー式の送風ファン１０を配置している。
この送風ファン１０は通常運転時約７５０〜１，１００ｒｐｍの範囲で多段階の回転数で回転し、前記吸込口４・７から室内空気を吸い込み吹出口６より熱交換された空気を吹き出すものである。
【００１５】
前記熱交換器９の下方には樹脂の発泡材で一体成形されたドレーン皿１１を設け、結露水を受けると共に前記送風ファン１０の送風を吹出口６へ導くエアーガイドの機能を兼ねるものである。
【００１６】
１２は前記オープンパネル５の吸込口４下方の前面中央に備えた表示部で、ダイオード等のランプ類が多数設けられ、このランプ類により運転状態をわかりやすく表示するものである。
【００１７】
前記表示部１２の右側に備えた穴部１３の中心には、前方に向けて針状の放射電極１４が設けられ、この放射電極１４が直流の高電圧になることで負イオンが発生し、吹出口６からの送風に乗り室内に拡散するものである。
【００１８】
１５は前記吹出口６内に備えた水平ルーバで、空気調和機の運転停止時には上下２枚の羽根にて吹出口６を塞ぎ、運転時には回動により上下に吹出し風の方向を調整するものであり、１６は前記本体ケーシング２に左右方向に回動自在に設けた左右風向板である。
【００１９】
１７は集塵ユニットで約＋２ｋｖの直流電源に接続されたアルミ板に多数の穴１８ａを設けた放電対極１８と、この穴１８ａの略中心に向かって針先を位置させた針状電極１９ａで形成され約−２ｋｖの直流電源に接続された放電極１９とで構成し、空気中の目に見えない塵やタバコの煙を前記放電極１９で帯電し放電対極１８にて捕捉するものであり、前記熱交換器９と前面パネル３の間の上部空間に取り付けられるものである。
【００２０】
２０はイオン発生装置で前記穴部１３背面のオープンパネル５やドレーン皿１１等に固定され、内部には穴部１３に対向して位置する前記放射電極１４とこの放射電極１４を直流の高電圧にする回路部品等を備えるものである。
【００２１】
前記放射電極１４は針状で−８ｋｖ程の電位がかけられ負イオンを発生するもので、針先は鋭利で有るため前面の穴部１３は一個一個が指先の入らない大きさに設けられる。また放射電極１４はイオン発生装置２０内の基板２１から穴部１３に向かって３本平行にけられている。
２２は前記吸込口４から吸込まれた空気が熱交換器９、送風ファン１０を経由して吹出口６より室内に吹出す送風経路。
【００２２】
図４をもとに制御回路のブロック図を説明すれば、２３は空気調和機の運転停止や前記イオン発生装置２０や静電式集塵装置２４の制御等空気調和機全体の制御を行うマイクロコンピュータ等の制御装置である。
【００２３】
２５はワイヤレスリモコン２６の受信装置で、このワイヤレスリモコン２６からの信号を前記制御装置２３に中継するものである。
２７は前記ワイヤレスリモコン２６の操作部で、運転スイッチ２８や冷暖房の切替等を行うモードスイッチ２９やタイマスイッチ３０と前記イオン発生装置２０の運転停止を行うイオン運転スイッチ３１や負イオン発生時の押圧で負イオンの発生量を増減するイオン増減スイッチ３２等のスイッチ類を備えている。
前記のスイッチ類はスイッチ動作後、ボタンを離すと初期状態に戻るモーメンタリ式のスイッチから構成している。
【００２４】
３３は空気中のイオン濃度を測定するイオンセンサで、前記吸込口４に設けられイオンの発生状態を検知するものである。
３４は前記吸込口４と熱交換器９の間に設けられた室温センサで、吸込空気の温度を測定する。
【００２５】
３５は前記熱交換器９の銅管又はアルミフィン等に取り付けられた熱交センサーで、熱交換器９の温度を測定するものであり、前記イオンセンサ３３や室温センサ３４と共に制御装置２３の入力側に接続されている。
前記制御装置２３の出力側には表示部１２が接続され、この表示部１２には空気調和機運転時に点灯する運転ランプ３６や、タイマ運転時に点灯するタイマランプ３７、イオン発生時に点灯又は点滅するイオンランプ３８が設けられている。
【００２６】
３９は前記送風ファン１０のファンモータ、４０は室外機（図示せず）の室外側制御装置、４１は前記吹出口６に備えた風向変更用の前記水平ルーバ１５を回動するルーバーモータで、前記制御装置２３の出力側にそれぞれ接続されている。
【００２７】
４２は前記イオン発生装置２０に備えたイオン発生回路で、電源４３との間に設けた入力電力制御回路４４に備えたフォトカプラやソリッドステートリレーにて交流波形の一部を削除することで、イオン発生回路４２へ供給する電力の調整を行うものである。
前記静電式集塵装置２４は集塵ユニット１７と集塵回路４５と、この集塵回路４５と電源４６の間をＯＮ−ＯＦＦするリレー４７を備え、前記制御装置２３の出力側に接続されている。
【００２８】
前記電源４３では交流１００ｖ５０Ｈｚ又は６０Ｈｚの商用電源が、入力電力制御回路４４によって約７０〜１００ｖの間に実行電力を調整して前記イオン発生回路４２に供給し、イオン発生回路４２では前記放射電極１４が直流約−５〜８ｋｖの電位になるように昇圧することで５，０００〜１０，０００個／ｃｃの負イオンを発生し、室内に放出するものである。
【００２９】
また前記静電式集塵装置２４は交流１００ｖの電源を集塵回路４５にて約＋２ｋｖと約−２ｋｖの直流に変換して前記集塵ユニット１７に供給するもので、前記リレー４７によって制御装置２３にて運転、停止を行うものである。
【００３０】
４８は前記制御装置２３内に備えたイオン発生量調整手段で、前記イオン増減スイッチ３２の操作によって入力電力制御回路４４にて通常時７０〜８０％の実行電力でイオン発生回路４２に電源を供給しているものを、１００％の電力に切り換える事で放射電極１４から発生する負イオンの発生量を通常運転時の約２０〜４０％増加すると共に、前記制御装置２３内に備えたタイマ４９をスタートさせ、この実施例では２０分間を計時し、イオン増加状態の運転が２０分継続した場合には、イオン増加運転により弊害が発生する事を防止するために自動的にイオンの発生量を通常運転に戻すものである。
【００３１】
前記イオンランプ３８は５個のダイオードが水平に連なるものであり、イオン発生装置２０が運転していない場合にはランプ３８は消灯し、通常運転時にはイオンセンサ３３の値に応じて左側から順次ランプが点灯するものであり、イオン増加運転の場合には中央から左右に向けてランプを順次点灯させる事で、イオンの増加を動的に表現するとてもわかりやすい表示が行われるものである。
【００３２】
前記イオン増加運転時のランプ表示を詳しく説明すれば、まずイオン増加運転開始時には５個のイオンランプ３８が全て点灯０．５秒間・全て消灯を０．５秒間を３回繰り返して点滅表示を行う事でイオン増加運転の開始を表示する。
次にイオン増加運転中は図５のに示す様に０．５秒間隔で順次バターン１から８まで順番に表示する事を繰り返す動的なランプ表示により、イオンの増量を使用者にわかりやすく表現するものである。
【００３３】
次にイオン増加運転終了時には全てのランプをいったん０．５秒間点灯後、０．５秒間消灯する事でイオン増加運転の終了を表示した後、前記の通常運転時の表示に戻るものである。
【００３４】
作動について説明すれば、ワイヤレスリモコン２６の運転スイッチ２８を押圧すれば送風ファン１０が回転を始めると共に室外ユニットに備えた圧縮機が回転し冷凍回路内の冷媒が循環する事で冷房運転時には熱交換器９は低温になり、暖房運転時には熱交換器９は高温になり、吸込口４から吸込まれた室内の空気が熱交換され吹出口６より室内吹出される事で室内の空気調和が行われる。
【００３５】
これと連動してイオン発生装置２０も通常運転を開始し、放射電極１４が高電圧になることで負イオンが発生し、放射電極１４から発生した負イオンは吹出口６から吹出される送風に乗って勢いよく室内にまんべんなく拡散されるものである。
【００３６】
図６のフローチャートによってイオン運転スイッチ３１とイオン増減スイッチ３２の作動について説明すれば、Ｓ２にて空気調和機運転中でイオン発生装置２０運転中であればＳ３に進み、イオンランプ３８を負イオンの発生量に応じて左側から順次点灯する通常表示を行う。Ｓ２にてイオン発生装置２０が停止していれば、そのままＳ１に戻り運転を続ける。
【００３７】
次にＳ４にてイオン運転スイッチ３１が押圧された場合は、Ｓ１０にて負イオンの発生を停止してイオンランプ３８を消灯しＳ１に戻る。またイオン運転スイッチ３１の押圧がない場合にはＳ５に進む。
【００３８】
Ｓ５ではイオン増減スイッチ３２の押圧を判断し、押圧された場合にはＳ６にて入力電力制御回路４４によてイオン発生回路４２に送る電力を、通常時８０％であったものを１００％に増加することで放射電極１４から発生する負イオンを増量すると共に、イオンランプ３８の増量表示行い、タイマ４９をスタートする。
またイオン増減スイッチ３２の押圧がない場合にはＳ３に戻り通常のイオン発生運転を続ける。
【００３９】
Ｓ７ではイオン増減スイッチ３２の再度の押圧を判断し、押圧の場合はＳ９にてイオン発生回路４２の電力を８０％にすると共にイオンランプ３８を通常表示に切換えＳ３に戻る。イオン増減スイッチ３２の押圧がない状態で２０分間経過すれば自動的にＳ８からＳ９に進みＳ３に戻って通常運転を継続するものである。
【００４０】
この一実施例では空気調和機の説明を行ったが、熱交換器９に換え活性炭フィルターを使用すれば空気清浄機にそのまま応用できるものであり、またこの一実施例では操作部２７をワイヤレスリモコン２６に設けているがユニットに一体に設けても良いものである。
【００４１】
このように使用者は負イオンの発生量をその時の気分や体調、好みに応じて増加する事ができるようにしたことで、使用者自身で気分の回復や体調管理等を普通の生活をしながら容易に調節することができ、極めて使用勝手が良いものである。
又イオンランプ３８を使用した動的な表示により負イオンの増量状態を使用者にわかりやすく知らしめる事ができるものである。
【００４２】
又負イオン発生量増加後には必要に応じて負イオンの発生量を増加前の通常の発生量に減じる事が簡単にできる様になると共に、負イオン増量開始から所定時間後には自動的に通常の発生量に戻るので、長時間負イオンが過剰に発生する事で人体に害を及ぼしたり、器具周囲の壁等にホコリが多量に付着する事を防止するものである。
【００４３】
又イオン増減スイッチ３２はモーメンタリスイッチで構成したのでイオン増加運転後自動的に通常運転に戻った場合でも、１回の押圧で簡単に再度のイオン増加運転ができるものである。
【００４４】
【発明の効果】
以上のようにこの発明によれば、室内の良好な空気調和を得ることは勿論、使用者はその時の気分や体調、好みに応じて負イオンの発生量を増加する事ができるようにしたことで、使用者自身で気分の回復や体調管理等を普通の生活をしながら容易に調節することができ、極めて使用勝手が良いものである。
又イオンランプを使用した動的な表示により負イオンの増量状態を使用者にわかりやすく知らしめる事ができるものである。
又負イオン発生量増加後には必要に応じて負イオンの発生量を増加前の通常の発生量に減じる事が簡単にできる様になると共に、負イオン増量開始から所定時間後には自動的に通常の発生量に戻るので、長時間負イオンが過剰に発生する事で人体に害を及ぼしたり、器具周囲の壁等にホコリが多量に付着する事を防止でき、安心して使用できるものである。
【図面の簡単な説明】
【図１】この発明の一実施例正面図。
【図２】同構造を簡略した側面の拡大断面図。
【図３】同集塵ユニット１１の要部断面図。
【図４】同制御回路の略図。
【図５】同イオンランプ３８の表示の説明図。
【図６】同フローチャート図。
【符号の説明】
１  室内ユニット
６  吹出口
９  送風ファン
１２  表示部
２０  イオン発生装置
２７  操作部
３１  イオン運転スイッチ
３２  イオン増減スイッチ
４８  イオン発生量調整手段
【図１】
0003844992.tif 000002
【図２】
0003844992.tif 000003
【図３】
0003844992.tif 000004
【図４】
0003844992.tif 000005
【図５】
0003844992.tif 000006
【図６】
0003844992.tif 000007